(57)【要約】【課題】配線の電力量計の端子部の配線接続穴への誤接続を防止すると共に、電力量計の少なくとも計器部を取り外した後の無断電気使用を防止することを目的とする。【解決手段】筐体２と、この筐体に電力量計の端子部の配線接続穴と同じ配置で設けられた配線接続穴３乃至９と、この配線接続穴３乃至９より接続された配線１０乃至１４を締結する締結手段とを有する誤接続防止・封印用器具１を用いる。誤接続防止・封印用器具１は、締結手段を覆うドア機構２１を有すると共に、このドア機構２１で締結手段を封印する封印手段を有する。これにより、誤接続防止・封印用器具１の各配線接続穴３乃至９に接続された配線１０乃至１４を個別に取り外して、端子部３９の配線接続穴５５乃至６０のうち当該誤接続防止・封印用器具１の配線接続穴３乃至８と同じ配置のものに接続することで誤接続を防止し、封印を行うことで無断電気使用を防止することができる。  【選択図】  図２
2008157887.tif 000002
【特許請求の範囲】
【請求項１】
筐体と、この筐体に対し電力量計の端子部の配線接続穴と同じ配置で設けられた配線接続穴と、この配線接続穴より接続された配線を締結する締結手段とを有する誤接続防止・封印用器具を備えたことを特徴とする誤接続防止・封印用装置。
【請求項２】
前記誤接続防止・封印用器具は、前記締結手段を開閉可能に覆う開閉部を有すると共に、この開閉部で前記締結手段を覆った状態を封印する封印手段を有することを特徴とする請求項１に記載の誤接続防止・封印用装置。
【請求項３】
電力量計の計器部とは分離と結合とが自在な電力量計の端子部及び、この端子部を覆う覆体を組付けて成る誤接続防止・封印用装置であって、
前記端子部は、筐体と、この筐体に設けられて配線が接続可能な配線接続穴と、前記筐体に対し前記配線接続穴とは反対側にて設けられて電力量計の計器部の端子と接続可能な接続穴部と、前記配線接続穴より接続された配線を締結する締結手段とを有し、
前記覆体は、前記接続穴部を覆う第１の壁部と、前記締結手段を覆う第２の壁部とから成ると共に、
前記端子部と前記覆体とは、当該覆体が前記端子部の前記締結手段を覆った状態を封印する封印手段を備えることを特徴とする誤接続防止・封印用装置。
【請求項４】
請求項３に記載の端子部と係合手段を介して接合可能な計器部を備えた電力量計であって、
前記計器部は、前記端子部の接続穴部に接続される端子を有し、この端子のうち接地用の端子の突出幅は、非接地用の端子の突出幅よりも大きいことを特徴とする電力量計。
【請求項５】
電力量計の計器部とは分離と結合とが可能な電力量計の端子部及び、この端子部を覆う覆体を組付けて成る誤接続防止・封印用装置であって、
前記端子部は、筐体と、この筐体に設けられて配線が接続可能な配線接続穴と、前記筐体に対し前記配線接続穴とは反対側にて設けられて電力量計の計器部の接続穴部と接続可能な端子の金属部と、前記配線接続穴より接続された配線を締結する締結手段とを有し、
前記覆体は、前記端子の金属部を囲むための壁部と、前記端子の金属部を囲むと共に前記締結手段を覆うための壁部とから成ると共に、
前記端子部と前記覆体とは、当該覆体が前記端子部の前記締結手段を覆った状態を封印する封印手段を備えることを特徴とする誤接続防止・封印用装置。
【発明の詳細な説明】
【技術分野】
【０００１】
この発明は、電力量計全体又はその計器部を取り除いた状態での無断電気使用を防止すると共に電力量計又はその計器部の取り付け作業時に配線の誤接続を防止するための装置及びこれに対応した電力量計の構造に関する。
【背景技術】
【０００２】
この種の電力量計等の計器は、例えば特許文献１に示されるように、本体部若しくは計器部等と称される部分と、接続端子台若しくは端子部等と称される部分とを有して構成されていると共に、上記接続端子台若しくは端子部の配線接続穴に、電源側、負荷側の各配線が適宜接続されて用いられるのが通常である。
【０００３】
そして、電力契約が廃止等されて電気供給を停止する時には、従来では、図８に示されるように電力量計１００を取り除いた後、特許文献２に示すような封印具等を利用して無断電気使用がされないように計器ボックス１０１等に封印処理を行う。この電力量計１００の端子から配線１０２乃至１０７を取り外す際に、その後の電力量計１００を取り付ける作業時において配線１０２乃至１０７の誤接続を防止するために、取り外した配線１０２乃至１０７に色別のキャップ１０８やテープ１０９等で色別表示をし、計器端子カバーにその色別を記入するという作業を行っていた。しかも、電源側配線１０２乃至１０４は、取り外した後も通電した状態のままであるので、上記テープ１０９等により端末への絶縁処理も併せて行なっていた。
【０００４】
一方、特許文献３の「００４７」及び「００４８」と図１１に示されるように、電力量計の端子部に端子側接続部品を着脱自在に装着すると共に、長期不在の家屋等に対して電力供給を停止する際に、計器側接続部品に代えて端子側接続部品と電力提示部品を接合することにより、この端子側接続部品を覆うようにした電力量計アダプタ装置の発明については、本願出願人が開発して既に公知としている。
【特許文献１】特開２００６−１１４２３２号公報
【特許文献２】特開２００６−６５００７号公報
【特許文献３】特開２００６−２２６９１５号公報
【発明の開示】
【発明が解決しようとする課題】
【０００５】
これに対し、例えば一つの収納スペースに複数の計器が収納される、一部の集合計器では、そのうちの一つのみの計器に対してのみ封印処理をしようとしても、その構造から封印処理を行うのが困難であり、このため、適切な計器管理ができないという不具合があった。
【０００６】
また、各配線に対し色別表示や絶縁処理のためにキャップやテープ等を装着し、計器端子カバーにその色別を記入する作業は煩雑であった。しかも、これらの色別表示は、確実な配線の誤接続を防止するための対策とまでは言えないものである。更には、配線を再接続する時に、各配線に色別表示が施されていても配線の長さによっては計器のどの端子に接続すれば良いか解らない場合もある。
【０００７】
そして、電力量計を取り付ける際に、電源側配線を端子の配線接続穴に挿入、接続するにあたり、当該電源側配線に対し絶縁処理のために装着したテープ等を取り外す必要性があった。このような電源側配線に対する絶縁処理作業及びその絶縁処理の取り外し作業は、電源側配線が通電されたままであるため作業員にとって危険が大きいという不具合がある。
【０００８】
一方、特許文献３に記載の電力量計アダプタ装置の端子側接続部品は、通常時で用いられるもので、封印具として用いられるものではなく、また、電力量計も本体部と端子部とが分離する構造のものではない。更に、この特許文献３に記載の電力量計では、通常時でも、端子部に端子側接続部品や計器側接続部品を接続する関係上、これらの部品の組み付け後の電力量計の上下方向に沿った寸法は相対的に大きくなるので、これらの電力量計を収納する計器ボックスの拡大、ひいては電力量計の設置スペースの拡大を図る必要もある。
【０００９】
そこで、本発明は、配線の端子への誤接続を防止すると共に、電源側配線の取り外し及び再接続の作業時における危険性を減少し、更には、電力量計の少なくとも計器部を取り外した後の無断電気使用を防止することができる誤接続防止・封印用装置及び電力量計を提供することを目的とする。
【課題を解決するための手段】
【００１０】
この発明に係る誤接続防止・封印用装置は、筐体と、この筐体に対し電力量計の端子部の配線接続穴と同じ配置で設けられた配線接続穴と、この配線接続穴より接続された配線を締結する締結手段とを有する誤接続防止・封印用器具を備えたことを特徴とするものである（請求項１）。そして、前記誤接続防止・封印用器具は、前記締結手段を開閉可能に覆う開閉部を有すると共に、この開閉部で前記締結手段を覆った状態を封印する封印手段を有することを特徴とするものである（請求項２）。ここで、締結手段は、例えば配線接続穴の径方向から当該配線接続穴に至る螺子穴を設け、この螺子穴にボルト等の固定具を挿通し、螺合させることで構成されている。開閉部は、回転軸とこの回転軸の一方から径方向に延びるドア本体とより成る片持ちドア型のドア機構でも、ドア本体がピニオンとラック等とで締結手段を有する面に沿ってスライドするスライドドア型のドア機構でも良く、その構造は特に限定されない。更に、開閉部の代わりに筐体とは別体の覆部を用いても良い。封印手段は、例えば、開閉部と筐体とに通穴を設け、この通穴に封印ねじを抜けないように装着した後、封印ねじに対し径方向に形成された横穴と、開閉部の一部を切り起こして形成した差込み穴と、封印鉛の通穴とに、封印用ワイヤを挿通させる構成となっている。
【００１１】
これにより、電力量計の再取り付け時において、電力量計の端子部に配線を再接続するにあたり、誤接続防止・封印用装置を構成する誤接続防止・封印用器具の各配線接続穴に接続された状態の配線を個別に取り外して、端子部の配線接続穴のうち当該誤接続防止・封印用器具の配線接続穴と同じ配置のものに接続するという手順を採れば、配線は正確且つ確実に元の状態に接続される。また、電力量計が取り外された状態では、誤接続防止・封印用器具の各配線接続穴に配線が接続されて、配線の端末が外部に露出した状態は避けられると共に、誤接続防止・封印用器具の締結手段は開閉部により覆われ、この開閉部で覆った状態のまま封印手段で封印される。しかも、電力量計を取り外した後の端子部があったスペースに誤接続防止・封印用器具を配置するので、さらに部品を追加することによる電力量計の設置スペースの増大を生じない。
【００１２】
また、この発明に係る誤接続防止・封印用装置は、電力量計の計器部とは分離と結合とが自在な電力量計の端子部及び、この端子部を覆う覆体を組付けて成る誤接続防止・封印用装置であって、前記端子部は、筐体と、この筐体に設けられて配線が接続可能な配線接続穴と、前記筐体に対し前記配線接続穴とは反対側にて設けられて電力量計の計器部の端子と接続可能な接続穴部と、前記配線接続穴より接続された配線を締結する締結手段とを有し、前記覆体は、前記接続穴部を覆う第１の壁部と、前記締結手段を覆う第２の壁部とから成ると共に、前記端子部と前記覆体とは、当該覆体が前記端子部の前記締結手段を覆った状態を封印する封印手段を備えることを特徴とするものである（請求項３）。この締結手段も、例えば配線接続穴の径方向から当該配線接続穴に至る螺子穴を設け、この螺子穴にボルト等の固定具を挿通し、螺合させることで構成されている。封印手段は、例えば、覆体と端子部の筐体とに通穴を設け、この通穴に封印ねじを抜けないように装着した後、封印ねじに対し径方向に形成された横穴と、覆体の一部を隆起させて形成した通穴と、封印鉛の通穴とに、封印用ワイヤを挿通させる構成となっている。
【００１３】
これにより、電力量計の計器部を取り外しても、端子部は残存した状態にあり、配線を端子部の配線接続穴から配線を取り外す作業自体が不要となるので、電力量計の計器部の再取り付け時において配線の誤接続の発生がなくなる。また、電力量計の計器部が取り外された状態では、誤接続防止・封印用装置を構成する電力量計の端子部の各配線接続穴に配線が接続されたままなので、配線の端末が外部に露出した状態が避けられると共に、電力量計の端子部の締結手段は蓋体により覆われ、この蓋体で覆った状態のまま封印手段で封印される。更にまた、請求項１又は請求項２に示されるような誤接続防止・封印用器具を不要とすることができる。しかも、電力量計の端子部を誤接続防止・封印用装置として用いるので、さらに部品を追加することによる電力量計の設置スペースの増大を生じない。
【００１４】
そして、この発明に係る電力量計は、請求項３の誤接続防止・封印用装置に対応するもので、請求項３に記載の端子部と係合手段を介して接合可能な計器部を備えた電力量計であって、前記計器部は、前記端子部の接続穴部に接続される端子を有し、この端子のうち接地用の端子の突出幅は、非接地用の端子の突出幅よりも大きいものとなっている（請求項４）。ここで、係合手段は、例えば端子部の接続穴部の開口側と同じ側に係合穴を設けると共に、計器部の端子と同じ側に前記係合穴と係合可能な突起部を設けることで構成されている。
【００１５】
このように、接地側の端子を非接地側の端子よりも突出幅を大きくすることにより、計器部の端子を誤接続防止・封印用装置を構成する電力量計の端子部の接続穴部に対し挿し抜きする際に異常電圧が入ることが抑止される。
【００１６】
一方、この発明に係る誤接続防止・封印用装置は、電力量計の計器部とは分離と結合とが可能な電力量計の端子部及び、この端子部を覆う覆体を組付けて成る誤接続防止・封印用装置であって、前記端子部は、筐体と、この筐体に設けられて配線が接続可能な配線接続穴と、前記筐体に対し前記配線接続穴とは反対側にて設けられて電力量計の計器部の接続穴部と接続可能な端子の金属部と、前記配線接続穴より接続された配線を締結する締結手段とを有し、前記覆体は、前記端子の金属部を囲むための壁部と、前記端子の金属部を囲むと共に前記締結手段を覆うための壁部とから成ると共に、前記端子部と前記覆体とは、当該覆体が前記端子部の前記締結手段を覆った状態を封印する封印手段を備えることを特徴とするものである（請求項５）。この締結手段も、例えば配線接続穴の径方向から当該配線接続穴に至る螺子穴を設け、この螺子穴にボルト等の固定具を挿通し、螺合させることで構成されている。また、封印手段も、例えば、覆体と端子部とに通穴を設け、この通穴に封印ねじを抜けないように装着した後、封印ねじに対し径方向に形成された横穴と、覆体の一部を隆起させて形成した通穴と、封印鉛の通穴とに、封印用ワイヤを挿通させる構成となっている。
【００１７】
これにより、電力量計の計器部を取り外しても、端子部は残存した状態にあり、配線を端子部の配線接続穴から配線を取り外す作業自体が不要となるので、電力量計の計器部の再取り付け時において配線の誤接続の発生がなくなる。また、電力量計の計器部が取り外された状態では、誤接続防止・封印用装置を構成する電力量計の端子部の各配線接続穴に配線が接続されて、配線の端末が外部に露出した状態が避けられると共に、電力量計の端子部の締結手段は蓋体により覆われ、この蓋体で覆った状態のまま封印手段で封印される。更に、請求項１又は請求項２に示される誤接続防止・封印用器具を不要とすることができる。更にまた、端子部について現行の構造のまま使用することができる。しかも、電力量計の端子部を誤接続防止・封印用装置として用いるので、さらに部品を追加することによる電力量計の設置スペースの増大を生じない。
【発明の効果】
【００１８】
以上のように、請求項１に記載の発明によれば、電力量計の再取り付け時において、電力量計の端子部に配線を再接続するにあたり、誤接続防止・封印用装置を構成する誤接続防止・封印用器具の各配線接続穴に接続された状態の配線を個別に取り外して、端子部の接続穴のうち当該誤接続防止・封印用器具の配線接続穴と同じ配置のものに接続するという手順を採れば、配線は正確且つ確実に元の状態に接続することができる。また、請求項３又は請求項５に記載の発明によれば、電力量計の計器部を取り外しても、端子部は残存した状態にあり、配線を端子部の配線接続穴から取り外し再接続する作業自体が不要である。このため、電力量計又はその計器部の再取り付け時において、端子部の配線接続穴への配線の選択を誤ることによる配線の誤接続を防止することが可能である。
【００１９】
また、請求項１、３又は５に記載の発明によれば、誤接続防止・封印用器具を用いる際には電源側配線を配線接続穴から接続して締結手段で締結し、電力量計の端子部を用いる際には電源側配線の挿し抜き作業自体がないので、電源側配線が通電状態であってもその端末に対し絶縁処理をする必要がなく、これに伴い絶縁処理を取り外す必要もなくなるので、作業員の作業の危険性を減少することが可能である。
【００２０】
請求項２に記載の発明によれば、電力量計が取り外された際には、誤接続防止・封印用器具の各接続穴に配線を接続し、配線の端末が外部に露出した状態を避けると共に、誤接続防止・封印用器具の締結手段を開閉部により覆い、その覆った状態のまま封印手段で封印している。また、請求項３又は請求項５に記載の発明によれば、電力量計の計器部が取り外された際には、誤接続防止・封印用装置を構成する電力量計の端子部の各接続穴に配線は接続されたままであり、配線の端末を外部に露出した状態が避けられていると共に、電力量計の端子部の締結手段を蓋体により覆い、その覆った状態のまま封印手段で封印している。このため、電力契約が廃止されて電気供給を停止したにも関わらず、無断電気使用されるのを防止することが可能であり、適切な計器管理を行うことができる。しかも、一つの収納スペースに複数の計器が収納されるような集合計器であっても、各計器に対し個別に封印を行うことができる。
【００２１】
特に、請求項３、４及び５に記載の発明によれば、誤接続防止・封印用器具を不要とし、更に、請求項５に記載の発明によれば、電力量計の端子部について現行の構造のまま用いることができるので、誤接続防止・封印用装置の製造コストの削減を図ることが可能である。
【００２２】
特に、請求項４に記載の発明によれば、接地側の端子を非接地側の端子よりも突出幅を大きくすることにより、計器部の端子を誤接続防止・封印用装置を構成する電力量計の端子部の接続穴部に対し挿し抜きする際に異常電圧が入るのを防止することができる。  
【発明を実施するための最良の形態】
【００２３】
以下、この発明の実施形態について図面により説明する。
【００２４】
図１から図３において、この発明に係る誤接続防止・封印用装置のうち誤接続防止・封印用器具１を用いた実施形態の一例が示されている。この誤接続防止・封印用器具１は、図３（ａ）に示すように、電力量計２９の全体を取り外す場合に使用するもので、後述の図４等で示す電力量計の端子部３９と略同形状の筐体２が用いられる。
【００２５】
筐体２は、絶縁性能を持たせるために不導体の素材により形成されており、上面２Ａと、前面２Ｂと、背面２Ｃと、側面２Ｄ、２Ｄと、底面２Ｅとの６面を有していると共に、この実施形態では、単相３線式又は三相３線式等の電力量計２９に対応させるべく、図１及び図２（ｃ）に示されるように、６個の配線接続穴３乃至８が底面２Ｅに形成されている。このうち、配線接続穴３には、図３に示す電源側配線９が接続され、配線接続穴４には図３に示す接地用の電源側配線１０が接続されると共に、配線接続穴５には、図３に示す電源側配線１１が接続される。また、配線接続穴６には、図３に示す負荷側配線１２が接続され、配線接続穴７には図３に示す接地用の負荷側配線１３が接続されると共に、配線接続穴８には図３に示す負荷側配線１４が接続される。
【００２６】
また、筐体２は、図１、図２に示されるように、配線９乃至１４の締結手段として、各配線接続穴３乃至８に対し前面２Ｂから配線接続穴３乃至８の径方向の途中部位にまで延びる螺子穴１５、１６を設け、この螺子穴１５、１６に締結具として雄ネジ１７、１８が螺合されるものとなっている。
【００２７】
更に、筐体２の前面２Ｂには、図１及び図２（ａ）に示されるように、配線９乃至１４の各配線接続穴３乃至８への接続位置を特定するために、当該図１及び図２（ａ）の図上で左側から、１Ｓ、２Ｓ、３Ｓ、３Ｌ、２Ｌ、及び１Ｌの表示がなされている。この表示の配列は、端子部３９の配線接続穴５５乃至６０に接続される配線９乃至１４の配列と同じである。そして、筐体２は、その前面２Ｂから背面２Ｃまで貫通する取付穴１９、２０が設けられている。この取付穴１９、２０の位置は、電力量計２９の端子部３９を図示しない取付板や計器ボックス３０に固定するための取付穴の位置と同じであり、これらの端子部３９との取付用の取付穴（図示せず）を流用することができる。
【００２８】
更にまた、この筐体２には、図１から図３に示されるように、上記の螺子穴１５、１６及び雄ネジ１７、１８から成る締結手段に対し開放と閉塞とを行う開閉部としてドア機構２１が取り付けられている。このドア機構２１は、筐体２に固定された軸受け部２２と、この軸受け部２２、２２間に回転自在に掛け渡された回転軸２３と、この回転軸２３の側面からその径方向に沿って延びるドア本体２４とからなる片持ちドア型と称されるものである。但し、ドア機構２１の構造はこれに限定されず、図示しないが例えば筐体２の前面２Ｂに沿って上下方向にスライドするドア本体と、このドア本体に対しスライド動作のための力を与えるピニオンとラックとからなるスライドドア型であっても良い。
【００２９】
そして、ドア機構２１のドア本体２４で筐体２の前面２Ｂを覆った状態を固定することにより、上記の螺子穴１５、１６及び雄ネジ１７、１８から成る締結手段に対し封印処理を行うために、筐体２に対し、その前面２Ｂから背面２Ｃまで貫通する螺子穴２５を、当該筐体２の長手方向の中央部位に設けると共に、ドア本体２４に対し、当該ドア本体２４が前面２Ｂに当接した際に螺子穴２５と一致する位置に螺子穴２６を設けている。更に、ドア本体２４に対し、その一部を前面２Ｂ側とは反対側に湾曲させて切り起こし部２７を形成することで、この切り起こし部２７の両側に、図１に示されるように一対の差込み穴２８、２８を開口させている。
【００３０】
誤接続防止・封印用器具１は、以上のような構成とすることで、図２（ｃ）及び図３に示されるように用いられる。その手順について以下に説明する。
【００３１】
まず、電力契約が廃止等されて電気供給を停止するために、電力量計２９の端子部３９から配線９乃至１４を取り外して、電力量計２９の全体を計器ボックス３０から取り除いた後、当該電力量計２９の端子部３９が位置していたスペースに、誤接続防止・封印用器具１を配置し、取付穴１９、２０からボルト等の固定具を取付板又は計器ボックス３０の取付穴まで挿通させて固定する。
【００３２】
次に、ドア機構２１のドア本体２４を回動させて筐体２の前面２Ｂから開いた状態とすると共に、誤接続防止・封印用器具１の前面２Ｂに記述された１Ｓ等の表を参照しつつ、配線９乃至１４を誤接続防止・封印用器具１の配線接続穴３乃至８に接続し、雄ネジ１７、１８を回してこの雄ネジ１７、１８の頭部で螺子穴１５、１６の開口側とは反対側となる配線接続穴３乃至８の内側周面に配線９乃至１４を押圧し、配線９乃至１４を保持する。
【００３３】
更に、ドア本体２４を回動させて筐体２の前面２Ｂと当接して閉じた状態とし、これにより連通した筐体２の螺子穴２５とドア本体２４の螺子穴２６に、図２（ｃ）に示される封印ネジ３１を挿通させる。封印ネジ３１は、図４、図５で示されるものと同様のもので、この実施形態では、螺子穴２５、２６の内径と略同じ外径の挿入部３２と、この挿入部３２の基端側に設けられて、螺子穴２５、２６の内径より大きな頭部３３と、挿入部３２の先端側に設けられて封印ネジ３１の螺子穴２５、２６からの脱落を防止する保持部３４とを有して構成されていると共に、頭部３３にはその径方向に延びる通穴３５が貫通している。そして、封印ネジ３１の頭部３３の通穴３５、ドア本体２４の差込み穴２８、２８及び図２（ｃ）と図３（ｂ）とに示される封印鉛３６の通穴に、同じく図２（ｃ）と図３（ｂ）とに示される封印用ワイヤ３７を１本、掛け渡すように挿通させる。これにより、誤接続防止・封印用器具１による封印処理は完了する。
【００３４】
これに対し、計器ボックス３０に対し電力量計２９を再度に取り付ける復旧作業を行う場合の一例について説明すると、ドア機構２１のドア本体２４を回動させて筐体２の前面２Ｂから開いた状態とし、筐体２の螺子穴１９、２０からボルト等の固定具を抜いて、誤接続防止・封印用器具１を外す。この場合、筐体２の配線接続穴３乃至８には配線９乃至１４が接続されたままとする。次に、計器ボックス３０に電力量計２９を取り付ける。そして、筐体２の配線接続穴３乃至８から配線９乃至１４を個別に抜き取って電力量計２９の端子部３９の配線接続穴に接続する。これにより、配線９乃至１４について端子部３９の配線接続穴のうちいずれに接続させるかは、筐体２の配線接続穴３乃至８で接続されていた位置及び筐体２に記述されている１Ｌ等の表示を参照して確認することができるので、配線９乃至１４の誤接続を防止することが可能である。
【００３５】
図４から図６において、電力量計２９の計器部３８と端子部３９とについて分離と結合とを自在な構造に改良し、この端子部３９を覆体７１と組み合わせ可能とすることで、この発明に係る誤接続防止・封印用装置の構成部品ともした実施形態の一例が示されている。
【００３６】
計器部３８の端子部３９側の部位には、端子部３９と接続されるための雄ピン型の端子４０乃至４５が設けられている。これらの端子４０乃至４５は、端子部３９の後述する雌ピン型の接続穴部６１乃至６６に挿入した際に接触不良が生ずるのを防止するために突出方向の両端側よりも中央側が膨らんだ形状をしている。尚、これらの端子４０乃至４５の側面には、端子４０乃至４５が接続穴部６１乃至６６に挿入された際に接続穴部６１乃至６６の内周面に押圧されて径方向の中心側にしぼむようにスリット４６を形成しても良い。そして、接地用の端子４１、４４は、図５に示される様に他の端子４０、４２、４３、４５に比し、Ｌ１の寸法ほど突出幅が大きくなっている。これにより、計器部３８を端子部３９に対し挿入、抜き取りの作業をする際に、異常電圧が入るのを防止している。
【００３７】
また、計器部３８の端子部３９側の部位のうち端子４０、４５よりも外側において突起部４７、４７が設けられている。これらの突起部４７は、その先端側に端子部３９の係合穴６８の内径寸法より大きな外径寸法の丸い頭部４８を有しているもので、計器部３８とは別体をなし、計器部３８の取付穴（図示せず）に取り付けることで構成される。但し、突起部４７を計器部３８と一体に形成したものとしても良い。
【００３８】
端子部３９は、入力端子４９乃至５１と出力端子５２乃至５４とを有し、これら入力端子４９乃至５１と出力端子５２乃至５４は、図５に示されるように、底面側に配線接続穴５５乃至６０を有し、この配線接続穴５５乃至６０に配線９乃至１４が接続されるものとなっている。この配線接続穴５５乃至６０に接続された配線９乃至１４は、当該端子部３９の正面側から螺子穴１５、１６に雄ネジ１７、１８を挿通して螺合することにより保持される。
【００３９】
そして、入力端子４９乃至５１と出力端子５２乃至５４とは、図４及び図５に示されるように、計器部３８の端子４９乃至５１が接続される雌ピン型の接続穴部６１乃至６６を有し、接続穴部６１乃至６６と配線接続穴５５乃至６０とはその軸方向において連結されている。これら接続穴部６１乃至６６と配線接続穴５５乃至６０の内周面には、図５の斜めの破線で示されるように、導体部として金属部６７が配されているが、当該図５に示されるように、金属部６７は、接続穴部６１乃至６６側の開口端からではなく所定の範囲ほど内部に入った位置から配されたものとなっている。これにより、計器部３８の端子４９乃至５１を接続穴部６１乃至６６に接続した際にアークが飛ぶのを防止している。
【００４０】
また、端子部３９は、その上面に計器部３８の突起部４７が挿入され、その頭部４８と係合される係合穴６８が開口している。更に、端子部３９は、図４に示されるように、その正面から背面にかけて取付穴６９が設けられており、この取付穴６９にボルト等の固定具７０を挿通させることで、端子部３９は図示しない取付板や計器ボックス３０に固定される。
【００４１】
覆体７１は、端子部３９の上面に開口した接続穴部６１乃至６８を覆う壁部７２と、端子部３９の前面に取り付けられた雄ネジ１７、１８を覆う壁部７３とを有して構成されている。そして、壁部７２には、接続穴部６１乃至６８の数と同じ（この実施形態では６個の）突起部７４が、当該壁部７２の一部を内側に向けて略状に窪ませることによって形成されており、この突起部７４により、覆体７１を端子部３９に装着する際の位置決めを行うことができると共に覆体７１と端子部３９とにズレを生ずるのを防止している。また、壁部７３の外面は平板状をなして例えば契約番号シール等のシール７５を貼ることができるようになっている。  
【００４２】
そして、覆体７１で端子部３９を覆った状態を固定することにより、螺子穴１５、１６及び雄ネジ１７、１８から成る締結手段に対し封印処理を行うために、端子部３９には螺子穴２５が形成され、覆体７１には、この螺子穴２５と連通する螺子穴２６、切り起こし部２７を設けることによりその両側に形成された差込み穴２８、２８を有している。封印ネジ３１は、この実施形態では、螺子穴２５、２６の内径と略同じ外径の挿入部３２と、この挿入部３２の基端側に設けられた、螺子穴２５、２６の内径より大きな頭部３３と、挿入部３２の先端側に設けられて封印ネジ３１の螺子穴２５、２６からの脱落を防止する保持部３４とを有して構成されていると共に、頭部３３にはその径方向に延びる通穴３５が貫通している。
【００４３】
誤接続防止・封印用装置を構成する計器部３８、覆体７１は、以上のような構成とすることで、図４に示されるように用いられる。その手順について以下に説明する。
【００４４】
まず、電力契約が廃止等されて電気供給を停止するために、電力量計２９の計器部３８を、取付板や計器ボックス３０に取り付けられた状態のままの端子部３９から取り除く。次に、突起部７４が端子部３９の接続穴部６１乃至６８と合致するように、覆体７１を端子部３９に被せる。そして、連通した端子部３９の螺子穴２５と覆体７１の螺子穴２６とに封印ネジ３１を挿通させた後、封印ネジ３１の頭部３３の通穴３５、覆体７１の差込み穴２８、２８及び図６に示される封印鉛３６の通穴に、同じく図６に示される封印用ワイヤ３７を１本、掛け渡すように挿通させる。これにより、上記の改良した計器部３８、覆体７１を用いた封印処理は完了する。
【００４５】
これに対し、電力量計２９の計器部３８を再度に取り付ける復旧作業を行う場合には、取付板や計器ボックス３０に取り付けられたままの端子部３９から封印を外して覆体７１を取り外し、端子部３９の接続穴部６１乃至６８に計器部３８の端子４０乃至４５を再度接続するのみで足りる。
【００４６】
このため、端子部３９の配線接続穴５５乃至６０から配線９乃至１４を取り外す必要がなくなり、ひいては配線９乃至１４を端子部３９の配線接続穴５５乃至６０に再接続する必要もなくなるので、配線９乃至１４の誤接続を解消することができる。
【００４７】
図７においては、現在使用している電力量計２９でも、所定の螺子を外すことで端子部３９と計器部３８とを分離することが可能であることから、この現行の端子部３９を覆体７１と組み合わせ可能とすることで、この発明に係る誤接続防止・封印用装置の構成部品ともした実施形態の一例が示されている。但し、先の実施形態と同様の構成については同一の符号を付してその説明を省略する。
【００４８】
現行のままの端子部３９は、計器部３８から取り外した場合には、図７に示されるように金属部７７乃至８３が、その上面から突出したものとなる。このため、覆体７１は、これらの金属部７７乃至８３を含めて覆うことができるような構造となっている。すなわち、覆体７１は、上面となる壁部７２と、この壁部７２の図上の前方側端から下方に延びる壁部７３と、壁部７２の図上の後方側端から下方に延びる壁部７６とを有して構成されていると共に、壁部７３の壁部７２からの延出寸法Ｌ４は、端子部３９の高さＬ３と金属部７７乃至８３の突出幅Ｌ２との総和と略同じとなっており、壁部７６の壁部７２からの延出寸法Ｌ２は金属部７７乃至８３の突出幅Ｌ２と略同じとなっている。これにより、覆体７１を計器部３８に被せた場合には、壁部７６、壁部７２及び壁部７３の上側部位で金属部７７乃至８３を囲むと共に、壁部７３で端子部３９の前面の全範囲を覆うことが可能となる。
【００４９】
誤接続防止・封印用装置を構成する計器部３８、覆体７１は、以上のような構成とすることで、図４に示されるように用いられる。その手順について以下に説明する。
【００５０】
まず、電力契約が廃止等されて電気供給を停止するために、電力量計２９の計器部３８を、取付板や計器ボックス３０に取り付けられた状態のままの端子部３９から取り除く。次に、覆体７１を金属部７７乃至８３も覆うように端子部３９に被せる。そして、連通した端子部３９の螺子穴２５と覆体７１の螺子穴２６とに封印ネジ３１を挿通させた後、封印ネジ３１の頭部３３の通穴３５、覆体７１の差込み穴２８、２８及び封印鉛３６の通穴に、封印用ワイヤ３７を１本、掛け渡すように挿通させる。これにより、上記の現行のままの計器部３８、覆体７１を用いた封印処理は完了する。
【００５１】
これに対し、電力量計２９の計器部３８を再度に取り付ける復旧作業を行う場合には、取付板や計器ボックス３０に取り付けられたままの端子部３９から封印を外して覆体７１を取り外し、端子部３９と計器部３８とを再度螺子により螺合するのみで足りる。
【００５２】
しかるに、この実施形態でも、端子部３９の配線接続穴５５乃至６０から配線９乃至１４を取り外す必要がなくなり、ひいては配線９乃至１４を端子部３９の配線接続穴５５乃至６０に再接続する必要もなくなるので、配線９乃至１４の誤接続を解消することができる。
【図面の簡単な説明】
【００５３】
【図１】図１は、この発明に係る誤接続防止・封印用装置の誤接続防止・封印用器具の構成を示す斜視図である。
【図２】図２（ａ）は、同上の誤接続防止・封印用器具のうち開閉部が開いた状態を示す正面図であり、図２（ｂ）は、同上の誤接続防止・封印用器具のうち開閉部が閉じた状態を示す正面図であり、図２（ｃ）は、図２（ｂ）の閉じた状態の誤接続防止・封印用器具の開閉部に封印を行った状態を示す底面図である。
【図３】図３（ａ）は、電力量計の全体を取り外した後、誤接続防止・封印用器具を取り付け、更に各配線を接続した状態を示す説明図であり、図３（ｂ）は、図３（ａ）の誤接続防止・封印用器具に配線を接続した状態から開閉部に封印処理を行った状態を示す要部拡大図である。
【図４】図４は、この発明に係る誤接続防止・封印用装置のうち電力量計の計器部と分離、結合可能な端子部の構造、計器部の構造、及び端子部を覆う覆体の構造を示す説明図である。
【図５】図５は、同上の電力量計の計器部と端子部との結合のための構造について説明する説明図である。
【図６】図６は、同上の電力量計の端子部と蓋体との結合のための構造及び封印処理を行った状態について説明する説明図である。
【図７】図７は、この発明に係る誤接続防止・封印用装置のうち電力量計の計器部と分離、結合可能な端子部、及び端子部を覆う覆体のうち図４に示されるものとは別の構造となる、他の実施形態について説明する説明図である。
【図８】図８（ａ）は、電力契約が廃止されて電気供給を停止する時等において電力量計の全体を取り外した状態を示す従来例を示す説明図であり、図８（ｂ）は、図８（ａ）の電力量計の全体を取り外した状態のうち配線側における要部拡大図である。
【符号の説明】
【００５４】
１  誤接続防止・封印用器具
２  筐体
２Ａ  上面
２Ｂ  前面
２Ｃ  背面
２Ｄ  側面
２Ｅ  底面
３乃至８  配線接続穴
９  電源側配線
１０  接地用の電源側配線
１１  電源側配線
１２  負荷側配線
１３  接地用の負荷側配線
１４  負荷側配線
１５、１６  螺子穴
１７、１８  雄ネジ
１９、２０  取付穴
２１  ドア機構（開閉部）
２２  軸受け部
２３  回転軸
２４  ドア本体
２５、２６  螺子穴
２７  切り起こし部
２８  差込み穴
２９  電力量計
３０  計器ボックス
３１  封印ネジ
３２  挿入部
３３  頭部
３４  保持部
３５  通穴
３６  封印鉛
３７  封印用ワイヤ
３８  計器部
３９  端子部
４０  端子
４１  接地用端子
４２  端子
４３  端子
４４  接地用端子
４５  端子
４６  スリット
４７  突起部
４８  頭部
４９乃至５１  入力端子
５２乃至５４  出力端子
５５乃至６０  配線接続穴
６１乃至６６  接続穴部
６７  金属部
６８  係合穴
６９  取付穴
７０  固定具
７１  覆体
７２  壁部
７３  壁部
７４  突起部
７５  シール
７６  壁部
７７乃至８３  金属部
【図１】
2008157887.tif 000003
【図２】
2008157887.tif 000004
【図３】
2008157887.tif 000005
【図４】
2008157887.tif 000006
【図５】
2008157887.tif 000007
【図６】
2008157887.tif 000008
【図７】
2008157887.tif 000009
【図８】
2008157887.tif 000010